(57)【特許請求の範囲】
【請求項１】
基板コネクタが実装された回路基板における基板コネクタの位置する面の反対側を覆い隠すケースベースと、基板コネクタの位置する面を覆い隠すケースカバーとを備えた遊技盤の回路基板収納箱であって、
前記ケースカバーが、
内部に収容される回路基板の基板コネクタと対応する位置に開設された取付け孔と、
前記取付け孔内に密封状に挿入され、先端部が前記基板コネクタと電気的に接続し、後端部が前記取付け孔内で終端する配線コネクタとを備えたことを特徴とする回路基板収納箱。
【請求項２】
前記配線コネクタが前記ケースカバーの一部として、一体に成形される合成樹脂からなることを特徴とする請求項１記載の回路基板収納箱。
【請求項３】
前記取付け孔が前記配線コネクタに設けられた凸部と係合する凹部を備えることを特徴とする請求項１記載の回路基板収納箱。
【発明の詳細な説明】
【技術分野】
【０００１】
本発明は、回路基板に電気を供給する部品をケースカバーの内外に貫通する部分の封鎖が適切な遊技機の回路基板収納箱に関する。
【背景技術】
【０００２】
遊技機の回路基板収納箱は、回路を構成する電気部品の実装された回路基板が収納箱の一方を形成するケースベースの上に配置され、収納箱の他方を形成するケースカバーが回路基板における外部から接続または操作の必要な電気部品を除いた電気部品を覆うように被せられ、ケースベースと回路基板およびケースカバーが止ねじで締結され、被覆部材がケースカバーから外部に露出された回路基板の実装領域に取り付けられ、被覆部材がケースカバーより外部に露出された回路基板における印刷配線と呼ばれる箔状の導体を心無い人からの不正行為から保護している。しかしながら、図７に示すように、回路基板６１の裏面はケースベース６０で全体的に覆われるものの、回路基板６１の電気部品６３；６４の実装された表面の一部がケースカバー６２で覆われることなく外部に露出している。そして、被覆部材６５には部品挿入孔６６が形成されており、被覆部材６５がケースカバー６２から露出した部分における電気部品６３の上方から被せられる場合に、当該電気部品６３の上部が部品挿入孔６６を貫通して被覆部材６５より上方に突出し、被覆部材６５がケースカバー６２から露出した電気部品６３とケースカバー６２で覆われた電気部品６４とを接続する導体６７を覆う構造である（特許文献１の図３参照）。しかし、電気部品６３の回路基板６１の表面から上方に延びる外側面は、回路基板６１の表面に対し垂直な平坦面でなく、回路基板６１の表面と平行な方向に凹凸６８になっているのが一般的である。このため、ケースカバー６２で覆われていない電気部品６３が被覆部材６５の部品挿入孔６６に挿入され、被覆部材６５が回路基板６１に被せられた場合、部品挿入孔６６の周縁部と電気部品６３との間には隙間６９が存在する。よって、心無い人が、上記隙間６９から棒状の不正操作部材７０をケースカバー６２で覆われた内部空間７１に挿入し、内部空間７１における電気部品６４や被覆部材６５で覆われていない導体６７に不正操作部材７０で不正を行うという欠点があった。また、図８に示すように、ケースカバー６２から露出した電気部品６３に被覆部７２を設け、被覆部７２がケースカバー６２から露出した電気部品６３とケースカバー６２で覆われた電気部品６４とを接続する導体６７を覆う構造である（特許文献１の図７参照）。このため、心無い人が、ケースカバー６２から露出した回路基板６１とケースカバー６２との間に形成された隙間７３から棒状の不正操作部材７０をケースカバー６２で覆われた内部空間７１に挿入し、内部空間７１における電気部品６４や導体６７に不正操作部材７０で不正を行う行為が行われるという欠点があった。図７および図８に示した構造は、回路基板６１の電気部品６３；６４の実装された表面の一部がケースカバー６２から外部に露出し、被覆部材６５または被覆部７２がケースカバー６２から露出した電気部品６３とケースカバー６２で覆われた電気部品６４とを接続する導体６７を覆うだけで、回路基板６１の電気部品６３；６４の実装された表面がケースカバー６２で全体的に覆われていないため、ケースカバー６２で覆われた内部空間における電気部品６４や導体６７が不正行為を受けるという欠点があった。また、特許文献２で開示されたように、回路基板に実装されたコネクタと当該コネクタに嵌め込まれたコネクタをカバー部材で覆い、回路基板に実装されたコネクタに嵌め込まれたコネクタに結線された配線をカバー部材の内部からカバー部材の外側に引き出した構造も知られているが、不正操作部材が配線を引き出したカバー部材の孔を経由して内部空間に挿入され、不正行為を受けるという欠点がある。
【特許文献１】特開平１０−２８６３６５号公報
【特許文献２】特開２０００−１４０３５４号公報
【発明の開示】
【発明が解決しようとする課題】
【０００３】
発明が解決しようとする問題点は、回路基板に対する不正行為が行われるという点である。
【課題を解決するための手段】
【０００４】
本発明に係る遊技機の回路基板収納箱は基板コネクタが実装された回路基板における基板コネクタの位置する面の反対側を覆い隠すケースベースと、基板コネクタの位置する面を覆い隠すケースカバーとを備えた遊技盤の回路基板収納箱であって、ケースカバーが、内部に収容される回路基板の基板コネクタと対応する位置に開設された取付け孔と、取付け孔内に密封状に挿入され、先端部が基板コネクタと電気的に接続し、後端部が取付け孔内で終端する配線コネクタとを備えたことを特徴とする。
また、取付け孔が配線コネクタに設けられた凸部と係合する凹部を備えることも特徴とする。また、配線コネクタが、前記ケースカバーと一体に成形される合成樹脂からなることも特徴とする。
【発明の効果】
【０００５】
本発明に係る遊技機の回路基板収納箱は、ケースカバーが内部に収容される回路基板の基板コネクタと対応する位置に開設された取付け孔と、前記取付け孔に対して（密封状に）固定され、先端部が前記基板コネクタと電気的に接続し、後端部が前記取付け孔内で終端する配線コネクタを備えたことにより、収納箱の外側から配線コネクタが人によって引っ張られても、配線コネクタがケースベースや基板コネクタから取り外されることがないという利点があるうえ、不正操作部材が収納箱の外側からケースカバーと配線コネクタとの合わせ部分から閉鎖空間に挿入されるのを阻止し、回路基板に対する不正行為が防止できるという利点がある。
また、配線コネクタをケースカバーと一体に成形される合成樹脂からなるものとすれば、配線コネクタをケースカバーに装着する必要がないという利点がある。
【発明を実施するための最良の形態】
【０００６】
図１乃至図３は、発明を実施するための最良の形態である。図１は、遊技機の回路基板収納箱における主要部の断面を示す。図２は、回路基板収納箱を分解して示す。図３は、回路基板収納箱を組み立てる工程を示す。
【０００７】
図２を参照し、遊技機の回路基板収納箱について説明する。回路基板収納箱は、収納箱の一方を形成するケースベース１、収納箱の他方を形成するケースカバー２、方形な回路基板３、回路基板３に実装された基板コネクタ４、回路基板３に電気を供給するための配線５、配線５の一端に結合された配線コネクタ６、タッピングスクリューのような止ねじ７などの構成部品を備え、配線コネクタ６が基板コネクタ４と対応する位置で収納箱の内部における閉鎖空間２７（図１参照）とケースカバー２の外側とに貫通するようにケースカバー２に密封状に設けられ、そして、回路基板３がケースベース１とケースカバー２との間に挟まれる格好で内包され、ケースベース１とケースカバー２とが互いに組み合わされることによって、基板コネクタ４と配線コネクタ６とが互いに嵌め合わされ、ケースベース１とケースカバー２とが互いに止ねじ７で結合されることによって、配線５や配線コネクタ６がケースベース１とケースカバー２とからなる収納箱の外側から引き抜かれることを防止できるという利点があるうえ、不正操作部材７０（図1参照）が収納箱の外側からケースカバー２と配線コネクタ６との合わせ部分を経由して閉鎖空間に挿入されることがないように、不正操作部材７０の収納箱の外側から閉鎖空間への挿入を阻止し、回路基板３に対する不正行為が防止できるという利点がある。配線５は、回路基板３に遊技機に設けられた回路基板３以外の制御装置の回路基板または検出器または電気的なアクチュエータまたは電源装置などの電気部品を接続するための配線である。配線５および配線コネクタ６は、収納箱の外側から回路基板３に電気を供給する部品を構成する。
【０００８】
回路基板収納箱の各構成部品の構造について詳述する。ケースベース１は、回路基板３における基板コネクタ４の位置する面の反対側に位置する反対側面を覆い隠すものであって、光を透過する性質の有る無色の合成樹脂により、ベース基盤１１、側壁１２、支持台１３、ねじ取付孔１４を備えた、一体の形状に形成された構造である。ベース基盤１１は、回路基板３より大きな方形である。側壁１２は、ベース基盤１１の周縁からケースカバー２と向き合う方向としての一方向にベース基盤１１のケースカバー２と向き合う方向の内側面と直角となるように突出し、ベース基盤１１の周方向で、互いに連接される。この互いに連接された側壁１２で囲まれた方形な開口は、回路基板３より大きな方形である。支持台１３は、ベース基盤１１の四隅に個別に突出する。支持台１３におけるケースカバー２と向き合う方向の表面は、ベース基盤１１におけるケースカバー２と向き合う方向の内側面と平行な１つの平面内に位置する。支持台１３の表面とベース基盤１１の内側面との間の寸法である高さＨ１は、側壁１２におけるベース基盤１１の内側面からの高さＨ２よりも低いので、回路基板３の四隅が支持台１３の表面に個別に載せられた場合、回路基板３の周縁部における端面が、側壁１２に、ベース基盤１１の内側面と平行な方向で対向するように、回路基板３が側壁１２で囲まれた方形な開口の内部に収納される。
【０００９】
ケースカバー２は、回路基板３における基板コネクタ４の位置する面と基板コネクタ４および電気部品２２を覆い隠すものであって、光を透過する性質の有る無色の合成樹脂により、配線コネクタ６、カバー基盤１６、側壁１７、受止部１８、ねじ挿入孔１９、コネクタ取付孔２０を備えた、一体の形状に形成された構造である。配線コネクタ６は、カバー基盤１６の一側部に、カバー基盤１６の内外側面への貫通孔として設けられ、ケースベース１とケースカバー２とが回路基板３を内包するように組み合わされる場合、基板コネクタ４に結合された配線コネクタ６の配線５および配線コネクタ２４をケースベース１とケースカバー２とからなる収納箱の内部から外部に引き出すための開口であって、複数の基板コネクタ４と個別に対応するように位置する。
【００１０】
カバー基盤１６は、ケースベース１における側壁１２の外側縁で形成される方形な外形より大きな方形である。側壁１７は、カバー基盤１６の周縁からケースベース１と向き合う方向としての一方向にカバー基盤１６のケースベース１と向き合う方向の内側面と直角となるように突出し、カバー基盤１６の周方向で、互いに連接される。この互いに連接された側壁１７で囲まれた方形な開口は、ケースベース１における側壁１２の外側縁で形成される方形な外形より大きな方形である。受止部１８は、ケースベース１とケースカバー２とが回路基板３を内包するように組み合わされた場合、支持台１３と協同して回路基板３を押さえる部分であって、カバー基盤１６の四隅に個別に位置し、カバー基盤１６におけるケースベース１と向き合う方向の内側面の方向に突出する。ねじ挿入孔１９は、受止部１８の内外側面への貫通孔として形成され、ケースベース１とケースカバー２とが回路基板３を内包するように組み合わされた場合、ケースベース１のねじ取付孔１４と回路基板３のねじ挿入孔２３と対応するように位置する。
【００１１】
回路基板３は、プリント配線板により構成され、基板コネクタ４以外に、ＣＰＵ、ＲＯＭ、ＲＡＭ、入力インターフェース、出力インターフェース、抵抗器、コンデンサ、コイル、ダイオード、トランジスタなど種々の電気部品２２も実装される。基板コネクタ４や電気部品２２は、回路基板３に、挿入実装または面実装により実装され、基板コネクタ４の電気接続端子や電気部品２２の電気接続端子が回路基板３に設けられたプリント配線のような箔状の配線に半田付けされて回路基板３に固定される。回路基板３の四隅には、ねじ挿入孔２３が、回路基板３におけるケースベース１とケースカバー２との双方に向き合う方向の表裏面への貫通孔として形成される。
【００１２】
配線５は、直線的に棒状の可撓性を有する導体に絶縁被覆を施した被覆電線により構成される。配線５の一端には配線コネクタ６が結合され、配線の他端には配線コネクタ２４が結合される。具体的には、配線５における絶縁被覆が剥がされた導体の一端が、配線コネクタ６における合成樹脂からなるコネクタボディで支持された電気接続端子の一端に接続され、配線コネクタ６が配線５の一端に結合される。配線５における絶縁被覆が剥がされた導体の他端が、配線コネクタ２４における合成樹脂からなるコネクタボディで支持された電気接続端子の一端に接続され、配線コネクタ２４が配線５の他端に結合される。配線コネクタ２４は、配線コネクタ６と雌雄の違いがあっても無くてもよい。配線コネクタ２４のコネクタボディと配線コネクタ６のコネクタボディとは同じ大きさであっても異なる大きさでもよい。
【００１３】
図３を参照し、回路基板収納箱の組み立て方について説明する。先ず、図３のａ図に示すように、配線コネクタ６がケースカバー２に密封状に設けられる。それには、ケースカバー２には、コネクタ取付孔２０が、カバー基盤１６の内外側面への貫通孔として設けられる。そして、配線コネクタ６が矢印Ｘ１で示すようにケースカバー２の外側からコネクタ取付孔２０に挿入される。その場合、配線コネクタ６がケースカバー２に接着剤２１で結合される（図３のｂ図参照）。このように配線コネクタ６がケースカバー２に結合されることによって、配線コネクタ６の基板コネクタ４と嵌め合わされる先端部は、カバー基盤１６の内側面よりも内側に突出する。次に、図３のｂ図に示すように、カバー基盤１６の内側面が回路基板３の側に向けられ、ケースカバー２が矢印Ｘ２で示すように回路基板３およびケースベース１に被せられる。
【００１４】
そして、図３のｃ図に示すように、ケースカバー２の側壁１７がケースベース１における側壁１２の外側に嵌め込まれるのに伴い、基板コネクタ４と配線コネクタ６とが互いに機械的に嵌め込まれ、基板コネクタ４の電気接続端子２８と配線コネクタ６の電気接続端子とが互いに通電可能に接続され、ケースカバー２のカバー基盤１６および側壁１７とで囲まれた空間が回路基板３と基板コネクタ４と電気部品２２と配線コネクタ６の先端部を覆い隠す。図３において、２９は回路基板３のバンプ、３０は回路基板３およびバンプ２９に形成され電気接続端子２８を挿入した貫通孔、３１は電気接続端子２８とバンプ２９とを結合した半田を示す。バンプ２９は、回路基板３に印刷配線のような導体と同じ材料からなる箔状の導体により半田３１を付けるために設けられた部分である。
【００１５】
その後、図２における止ねじ７が、ケースカバー２の外側からねじ挿入孔１９と回路基板３のねじ挿入孔２３とを順に通過してケースベース１のねじ取付孔１４に締結され、回路基板収納箱が完成する。この完成した回路基板収納箱では、回路基板３と基板コネクタ４と電気部品２２と配線コネクタ６が、ケースベース１とケースカバー２とからなる収納箱で囲まれた内部の閉鎖空間２７（図１参照）に格納され、配線５および配線コネクタ２４が配線孔８を貫通してケースベース１とケースカバー２とからなる収納箱の外側に配置される。
【００１６】
最良の形態における回路基板収納箱によれば、図１に示すように、収納箱の外側から回路基板３に電気を供給する配線コネクタ６が基板コネクタ４と対応する位置で収納箱の内部における閉鎖空間２７とケースカバー２の外側とに貫通するようにケースカバー２に密封状に設けられたので、ケースベース１とケースカバー２とが互いに組み合わされることによって、基板コネクタ４と配線コネクタ６とが互いに機械的に嵌め込まれ、基板コネクタ４の電気接続端子２８と配線コネクタ６の電気接続端子とが互いに通電可能に接続され、ケースベース１とケースカバー２とが互いに止ねじ７で結合されることによって、収納箱の外側から配線コネクタ６が人によって引っ張られても、配線コネクタ６がケースカバー２や基板コネクタ４から取り外されることがないという利点があるうえ、不正操作部材７０が収納箱の外側からケースカバー２と配線コネクタ６との合わせ部分（配線コネクタ６とコネクタ取付孔２０との間の部分；接着剤２１の部分）から閉鎖空間２７に挿入されるのを阻止し、小数の心無い遊技者による不正操作を防止することができるという利点がある。
【産業上の利用可能性】
【００１７】
図４ａ図およびｂ図は、配線コネクタ６をケースカバー２のコネクタ取付孔２０に係合する異なる形態である。図４のａ図に示すように、ケースカバー２には、係合部３５が、コネクタ取付孔２０からケースカバー２の内部に窪む角形の凹部として設けられる。配線コネクタ６のコネクタボディには、係合部３６がコネクタボディから外側に突出する角形の凸部として設けられる。そして、配線コネクタ６がケースカバー２のコネクタ取付孔２０に嵌め込まれる場合、係合部３５と係合部３６とが互いに嵌め合わされることによって、配線コネクタ６が、矢印Ｘ３で示すようにケースカバー２の外側に引っ張られたり、矢印Ｘ４で示すようにケースカバー２の内側に引っ張られたりしても、配線コネクタ６が抜けづらくなる。図４のｂ図に示すように、係合部３５が三角形の凹部として設けられ、係合部３６が三角形の凸部として設けられる。そして、係合部３５と係合部３６とが互いに嵌め合わされることによって、とりわけ、配線コネクタ６が、矢印Ｘ４で示すようにケースカバー２の内側に引っ張られたりしても、係合部３５と係合部３６との嵌合が外れない限り、配線コネクタ６がケースカバー２から抜けることはない。図４において、接着剤２１を使用しなくてもよい。
【００１８】
図５は、配線コネクタ６をケースカバー２に設ける構造の異なる形態である。配線コネクタ６の合成樹脂からなるコネクタボディがケースカバー２の一部として構成され、配線コネクタ６の電気接続端子３７が閉鎖空間２７とケースカバー２の外側とに貫通するように上記コネクタボディとして構成されたケースカバー２の一部に埋め込まれる。電気接続端子３７には、配線５の導体の一端が、機械的に嵌め込まれることによって通電可能に接続される。これによって、配線コネクタ６のコネクタボディをケースカバー２の図１に示すコネクタ取付孔２０に嵌め込むことによって装着する必要がないという利点がある。
【００１９】
図６は、ケースベース１とケースカバー２とを結合する固着具の異なる形態である。最良の形態ではケースベース１とケースカバー２とを固着具としての止ねじ７で結合したのに対し、この異なる形態ではケースベース１とケースカバー２とを固着具としての掛止機構４１で結合する。掛止機構４１は、支持構造体４２、操作レバー４３、掛止具４４、受止具４５を備える。支持構造体４２は、ケースベース１の側壁１２の外側面に、タッピングスクリューのような止ねじ４６で側壁１２の外側から取り付けられる。操作レバー４３は、支持構造体４２に、レバー軸４７によって、レバー軸４７を中心として回転可能となるように連結される。掛止具４４は、環状であって、環状の一部が操作レバー４３に回転可能に連結される。受止具４５は、ケースカバー２の側壁１７の外側面に、タッピングスクリューのような止ねじ４８で側壁１７の外側から取り付けられる。受止具４５には、フック部４９が、受止具４５から外側に折り曲げられた横部と、横部から上方に折り曲げられた縦部とから構成される。
【００２０】
そして、操作者が、操作レバー４３を図６の仮想線示位置に停止し、掛止具４４を図６の仮想線示位置より一点鎖線示位置に移動し、掛止具４４の自由端部を受止具４５のフック部４９の真上に配置した状態において、操作レバー４３を図６の仮想線示位置から実線示位置に移動するように操作する。これによって、操作レバー４３のレバー軸４７を回転中心とする回転運動により、掛止具４４が下方に移動する。この掛止具４４の下方に移動する過程において、掛止具４４の自由端部が受止具４５のフック部４９に上方より下方へと係合した後に受止具４５を支持構造体４２の側に引下げる。この掛止具４４による掛止機構４１の引下げにより、ケースベース１の側壁１２とケースカバー２の側壁１７とが互いに向き合って接触し、ケースベース１とケースカバー２とが互いに結合する。支持構造体４２がケースカバー２に取り付けられ、受止具４５がケースベース１に取り付けられてもよい。
【００２１】
ケースベース１とケースカバー２とを結合する固着具は、止ねじ７や掛止機構４１以外の嵌め込み構造体でも適用できる。
【図面の簡単な説明】
【００２２】
【図１】回路基板収納箱の主要部を示す断面図（最良の形態）。
【図２】回路基板収納箱を示す分解斜視図（最良の形態）。
【図３】回路基板収納箱の組み立て方を示す工程図（最良の形態）。
【図４】配線コネクタをケースカバーに設ける構造の断面図（異なる形態）。
【図５】配線コネクタをケースカバーに設ける構造の断面図（異なる形態）。
【図６】ケースベースとケースカバーとを結合する固着具の断面図（異なる形態）。
【図７】回路基板収納箱の要部を示す断面図（従来）。
【図８】回路基板収納箱の異なる要部を示す断面図（従来）。
【符号の説明】
【００２３】
１    ケースベース
２    ケースカバー
３    回路基板
４    基板コネクタ
６    配線コネクタ
２７  閉鎖空間
【図１】
0004751175.tif 000002
【図２】
0004751175.tif 000003
【図３】
0004751175.tif 000004
【図４】
0004751175.tif 000005
【図５】
0004751175.tif 000006
【図６】
0004751175.tif 000007
【図７】
0004751175.tif 000008
【図８】
0004751175.tif 000009